(57)【特許請求の範囲】
【請求項１】
操作対象となる画面が表示される表示面と、
前記表示面に対するタッチを検出するタッチ検出部と、
前記タッチ検出部の検出結果に基づいて前記表示面に対するタッチ操作の種類を特定する操作特定部と、
前記操作特定部により特定されたタッチ操作の種類に応じて機能を実行する機能実行部と、を備え、
前記機能実行部は、前記表示面における周縁部の少なくとも一部に設けられた制限領域に対する所定の種類のタッチ操作に基づく機能の実行を制限し、
前記所定の種類のタッチ操作は、少なくとも最初のタッチ位置が前記制限領域内である、前記表示面上でのタッチ位置の移動を伴うタッチ操作を含む、
ことを特徴とする表示機能を備える携帯機器。
【請求項２】
請求項１に記載の表示機能を備える携帯機器において、
前記所定の種類のタッチ操作は、前記表示面上でのタッチ位置の移動を伴わないタッチ操作を含む、
ことを特徴とする表示機能を備える携帯機器。
【請求項３】
請求項１または２に記載の表示機能を備える携帯機器において、
所定の条件に応じて前記制限領域を設定する領域設定部を、さらに備える、
ことを特徴とする表示機能を備える携帯機器。
【請求項４】
請求項３に記載の表示機能を備える携帯機器において、
前記機能実行部は、前記表示面に対するタッチ操作に基づいてアプリケーションプログラムを実行し、
前記領域設定部は、実行されるアプリケーションプログラムに応じて前記制限領域を設定する、
こと特徴とする表示機能を備える携帯機器。
【請求項５】
請求項３または４に記載の表示機能を備える携帯機器において、
前記領域設定部は、前記操作対象となる画面の表示方向に応じて前記制限領域を設定する、
こと特徴とする表示機能を備える携帯機器。
【請求項６】
請求項３ないし５の何れか一項に記載の表示機能を備える携帯機器において、
ユーザにより保持される前記携帯機器の向きを検出する向き検出部を、さらに備え、
前記領域設定部は、前記携帯機器の向きに応じて前記制限領域を設定する、
こと特徴とする表示機能を備える携帯機器。
【請求項７】
請求項１ないし６の何れか一項に記載の表示機能を備える携帯機器において、
前記操作対象となる画面は、制限対象とならないオブジェクトを含み、
前記機能実行部は、前記制限領域内に表示された前記オブジェクトに対して前記所定の種類のタッチ操作がなされた場合、当該タッチ操作に割り当てられた機能を実行する、
ことを特徴とする表示機能を備える携帯機器。
【請求項８】
請求項１ないし６の何れか一項に記載の表示機能を備える携帯機器において、
前記表示面を有する表示部と、
前記表示部を制御する表示制御部と、をさらに備え、
前記操作対象となる画面は、前記所定の種類のタッチ操作の対象となるオブジェクトと当該オブジェクトが重ねられる背景画像とを含み、
前記表示制御部は、前記オブジェクトが前記表示面における前記制限領域外の領域に配されるよう前記表示部を制御する、
ことを特徴とする表示機能を備える携帯機器。
【請求項９】
操作対象となる画面が表示される表示面と、前記表示面に対するタッチを検出するタッチ検出部と、を有する表示機能を備える携帯機器のコンピュータに、
前記タッチ検出部の検出結果に基づいて前記表示面に対するタッチ操作の種類を特定する機能と、
特定されたタッチ操作の種類に応じて機能を実行する機能と、
前記表示面における周縁部の少なくとも一部に設けられた制限領域に対する所定の種類のタッチ操作に基づく機能の実行を制限する機能と、を実行させ、
前記所定の種類のタッチ操作が、少なくとも最初のタッチ位置が前記制限領域内である、前記表示面上でのタッチ位置の移動を伴うタッチ操作を含む、
ことを特徴とするプログラム。
【請求項１０】
操作対象となる画面が表示される表示面と、前記表示面に対するタッチを検出するタッチ検出部と、を有する表示機能を備える携帯機器の制御方法であって、
前記タッチ検出部の検出結果に基づいて前記表示面に対するタッチ操作の種類を特定するステップと、
特定されたタッチ操作の種類に応じて機能を実行するステップと、
前記表示面における周縁部の少なくとも一部に設けられた制限領域に対する所定の種類のタッチ操作に基づく機能の実行を制限するステップと、を含み、
前記所定の種類のタッチ操作が、少なくとも最初のタッチ位置が前記制限領域内である、前記表示面上でのタッチ位置の移動を伴うタッチ操作を含む、
ことを特徴とする制御方法。
【発明の詳細な説明】
【技術分野】
【０００１】
本発明は、携帯電話機、ＰＤＡ（Personal Digital Assistant）、タブレットＰＣ（Tablet PC）、電子書籍端末、携帯音楽プレーヤ、ポータブルテレビ等の表示機能を備える携帯機器に関する。また、本発明は、かかる携帯機器に用いて好適なプログラムおよび制御方法に関する。
【背景技術】
【０００２】
従来、表示面上にタッチセンサを配し、表示面に対するユーザのタッチ操作に基づいて、各種のアプリケーションプログラム（以下、単に「アプリケーション」と称する。）を実行する携帯電話機が知られている。かかる携帯電話機では、近年、表示面が大型化するに伴い、表示面を囲むフレーム部の幅が狭くなってきている。フレーム部の幅が狭くなると、ユーザが携帯電話機を持ったときに、ユーザの指が表示面における周縁部に触れやすくなるため、誤操作が生じ易くなる。
【０００３】
そこで、かかる携帯電話機において、表示面の周縁部に入力無効領域を設け、周縁部へのタッチ入力を受け付けなくする構成が採られ得る（特許文献１参照）。
【先行技術文献】
【特許文献】
【０００４】
【特許文献１】特開２０００−３９９６４号公報
【発明の概要】
【発明が解決しようとする課題】
【０００５】
しかしながら、上記のようにタッチ入力が受け付けられなくなることにより、表示面の周縁部での一切のタッチ操作が受け付けられなくなってしまうと、誤操作の防止は図れるものの、機器の操作性が大幅に低下してしまう虞がある。
【０００６】
そこで、本発明は、ユーザによる誤操作の防止を良好に図ることができる表示機能を備える携帯機器、プログラムおよび表示機能を備える携帯機器の制御方法を提供することを目的とする。
【課題を解決するための手段】
【０００７】
本発明の第１の態様に係る表示機能を備える携帯機器は、操作対象となる画面が表示される表示面と、前記表示面に対するタッチを検出するタッチ検出部と、前記タッチ検出部の検出結果に基づいて前記表示面に対するタッチ操作の種類を特定する操作特定部と、前記操作特定部により特定されたタッチ操作の種類に応じて機能を実行する機能実行部と、を備える。ここで、前記機能実行部は、前記表示面における周縁部の少なくとも一部に設けられた制限領域に対する所定の種類のタッチ操作に基づく機能の実行を制限する。前記所定の種類のタッチ操作は、少なくとも最初のタッチ位置が前記制限領域内である、前記表示面上でのタッチ位置の移動を伴うタッチ操作を含む。
【０００８】
さらに、前記所定の種類のタッチ操作は、前記表示面上でのタッチ位置の移動を伴わないタッチ操作を含み得る。
【０００９】
本態様に係る表示機能を備える携帯機器において、所定の条件に応じて前記制限領域を設定する領域設定部が、さらに備えられ得る。
【００１０】
領域設定部が備えられる構成とされた場合、前記機能実行部は、前記表示面に対するタッチ操作に基づいてアプリケーションプログラムを実行するような構成とされ得る。この場合、前記領域設定部は、実行されるアプリケーションプログラムに応じて前記制限領域を設定する。
【００１１】
領域設定部が備えられる構成とされた場合、前記領域設定部は、前記操作対象となる画面の表示方向に応じて前記制限領域を設定するような構成とされ得る。
【００１２】
領域設定部が備えられる構成とされた場合、ユーザにより保持される前記携帯機器の向きを検出する向き検出部が、さらに備えられ得る。この場合、前記領域設定部は、前記携帯機器の向きに応じて前記制限領域を設定する。
【００１３】
本態様に係る表示機能を備える携帯機器において、前記操作対象となる画面は、制限対象とならないオブジェクトを含み得る。この場合、前記機能実行部は、前記制限領域内に表示された前記オブジェクトに対して前記所定の種類のタッチ操作がなされた場合、当該タッチ操作に割り当てられた機能を実行するような構成とされ得る。
【００１４】
本態様に係る表示機能を備える携帯機器において、前記表示面を有する表示部と、前記表示部を制御する表示制御部と、がさらに備えられ得る。この場合、前記操作対象となる画面は、前記所定の種類のタッチ操作の対象となるオブジェクトと当該オブジェクトが重ねられる背景画像とを含み得る。前記表示制御部は、前記オブジェクトが前記表示面における前記制限領域外の領域に配されるよう前記表示部を制御する。
【００１５】
本発明の第２の態様に係るプログラムは、操作対象となる画面が表示される表示面と、前記表示面に対するタッチを検出するタッチ検出部と、を有する表示機能を備える携帯機器のコンピュータに、前記タッチ検出部の検出結果に基づいて前記表示面に対するタッチ操作の種類を特定する機能と、特定されたタッチ操作の種類に応じて機能を実行する機能と、前記表示面における周縁部の少なくとも一部に設けられた制限領域に対する所定の種類のタッチ操作に基づく機能の実行を制限する機能と、を実行させる。前記所定の種類のタッチ操作は、少なくとも最初のタッチ位置が前記制限領域内である、前記表示面上でのタッチ位置の移動を伴うタッチ操作を含む。
【００１６】
本発明の第３の態様は、操作対象となる画面が表示される表示面と、前記表示面に対するタッチを検出するタッチ検出部と、を有する表示機能を備える携帯機器の制御方法に関する。本態様に係る制御方法は、前記タッチ検出部の検出結果に基づいて前記表示面に対するタッチ操作の種類を特定するステップと、特定されたタッチ操作の種類に応じて機能を実行するステップと、前記表示面における周縁部の少なくとも一部に設けられた制限領域に対する所定の種類のタッチ操作に基づく機能の実行を制限するステップと、を含む。前記所定の種類のタッチ操作は、少なくとも最初のタッチ位置が前記制限領域内である、前記表示面上でのタッチ位置の移動を伴うタッチ操作を含む。
【発明の効果】
【００１７】
本発明によれば、ユーザによる誤操作の防止を良好に図ることができる表示機能を備える携帯機器、プログラムおよび表示機能を備える携帯機器の制御方法を提供することができる。
【００１８】
本発明の効果ないし意義は、以下に示す実施形態の説明によりさらに明らかとなろう。ただし、以下の実施形態は、あくまでも、本発明を実施化する際の一つの例示であって、本発明は、以下の実施形態に記載されたものに何ら制限されるものではない。
【図面の簡単な説明】
【００１９】
【図１】第１実施形態に係る、携帯電話機の構成を示す図である。
【図２】第１実施形態に係る、携帯電話機の全体構成を示すブロック図である。
【図３】第１実施形態に係る、表示面に対するタッチ操作に基づく機能の実行処理の流れを示すフローチャートである。
【図４】第１実施形態に係る、タップ操作およびダブルタップ操作が、制限されるタッチ操作に指定された例を説明するための図である。
【図５】第１実施形態に係る、タップ操作およびダブルタップ操作が、制限されるタッチ操作に指定された例を説明するための図である。
【図６】第１実施形態に係る、最初のタッチ位置が制限領域であるドラッグ操作が、制限されるタッチ操作に指定された例を説明するための図である。
【図７】第１実施形態に係る、最初のタッチ位置が制限領域であるフリック操作が、制限されるタッチ操作に指定された例を説明するための図である。
【図８】第１実施形態に係る、制限領域の変形例について説明するための図である。
【図９】第２実施形態に係る、携帯電話機の全体構成を示すブロック図である。
【図１０】第２実施形態に係る、実施例１における機能実行処理の流れを示すフローチャートである。
【図１１】第２実施形態に係る、アプリケーションに応じて設定される制限領域を示す図である。
【図１２】第２実施形態に係る、実施例２における機能実行処理の流れを示すフローチャートである。
【図１３】第２実施形態に係る、画面の表示方向に応じて設定される制限領域を示す図である。
【図１４】第２実施形態に係る、実施例３における機能実行処理の流れを示すフローチャートである。
【図１５】第２実施形態に係る、携帯電話機の向きに応じて設定される制限領域を示す図である。
【図１６】第３実施形態に係る、機能実行処理の流れを示すフローチャートである。
【図１７】第３実施形態に係る、制限を受けないオブジェクトが制限領域に配された画面が表示面に表示された例を示す図である。
【図１８】変更例に係る、表示制御処理の流れを示すフローチャートである。
【図１９】変更例に係る、表示制御処理が実行されたときの画面表示例を示す図である。
【図２０】変更例に係る、表示制御処理の他の例を説明するための図である。
【発明を実施するための形態】
【００２０】
以下、本発明の実施形態について、図面を参照して説明する。
【００２１】
＜第１実施形態＞
図１は、携帯電話機１の構成を示す図である。図１（ａ）および（ｂ）は、それぞれ、正面図および背面図である。
【００２２】
以下、説明の便宜上、図１に示すように、キャビネット２の長手方向を上下方向と定義し、キャビネット２の短手方向を左右方向と定義する。
【００２３】
携帯電話機１は、キャビネット２と、表示面３と、マイクロフォン４と、通話スピーカ５と、キー操作部６と、外部スピーカ７とを備えている。
【００２４】
キャビネット２は、正面から見て、ほぼ長方形状を有する。キャビネット２の正面に、後述する表示部１３の表示面３が配されている。表示面３は、長方形状を有する。
【００２５】
キャビネット２の内部には、下端部にマイクロフォン４が配されており、上端部に通話スピーカ５が配されている。マイクロフォン４には、キャビネット２の正面に形成されたマイク孔４ａを通じて音声が入力される。マイクロフォン４は、入力した音に応じた電気
信号を生成する。通話スピーカ５からは、主に、音声が出力される。出力された音声は、キャビネット２の正面に形成された出力孔５ａを通じて外部に放出される。
【００２６】
キャビネット２の正面には、キー操作部６が設けられている。キー操作部６は、複数の操作キーから構成されている。各操作キーには、実行中のプログラム等に応じた各種の機能が割り当てられる。
【００２７】
キャビネット２の内部には、外部スピーカ７が配されている。キャビネット２の背面には、外部スピーカ７に対応する出力孔７ａが形成されている。外部スピーカ７から出力された音（音声、報知音等）は、出力孔７ａを通じて外部に放出される。
【００２８】
キャビネット２において、表示面３を囲むフレーム部２ａは、上下左右のフレームにより構成されている。上述の通り、キャビネット２には、上部に通話スピーカ５が配されるスペースが設けられ、下部にキー操作部６およびマイクロフォン４が配されるスペースが設けられている。このため、左右のフレームの幅Ｗ１、Ｗ２は上下のフレームの幅Ｗ３、Ｗ４より狭くなっている。左フレームの幅Ｗ１と右フレームの幅Ｗ２は同じであり、上フレームの幅Ｗ３は、下フレームの幅Ｗ４より狭くなっている。
【００２９】
表示面３には、各種アプリケーションの実行画面など、操作対象となる画面が表示される。ユーザは、表示面３に指、タッチペン等（以下、単に「指」と言う。）を触れることにより各種のタッチ操作を行うことができる。タッチ操作には、タップ操作、ダブルタップ操作、ロングタップ操作、フリック操作、スライド操作、ドラッグ操作等が含まれる。以下にこれらのタッチ操作について具体的に説明する。
【００３０】
タップ操作は、表示面３に指を接触させた後、短時間のうちに表示面３より指を離す操作である。ダブルタップ操作は、表示面３に対して短時間の間にタップ操作を２回繰り返す操作である。ロングタップ操作は、所定時間以上、指を表示面３に接触させ続けた後、指を表示面３より離す操作である。フリック操作は、表示面３を指で任意の方向に弾く操作である。より具体的には、フリック操作とは、表示面３に指を接触させ、任意の方向へ所定速度で指を弾く操作である。スライド操作は、表示面３に指を接触させたまま任意の方向へ移動させる操作である。また、スライド操作には、表示面３に表示されたオブジェクト（アプリケーション起動用のアイコン、ショートカットアイコン、ファイル、フォルダ等）に指を触れ、オブジェクトを移動させるスライド操作、いわゆるドラッグ操作も含まれる。
【００３１】
つまり、タップ操作、ダブルタップ操作およびロングタップ操作は、表示面３上でのタッチ位置の移動を伴わないタッチ操作である。フリック操作およびスライド操作は、表示面３上でのタッチ位置の移動を伴うタッチ操作である。
【００３２】
表示面３には、周縁部全周に亘り、所定の種類のタッチ操作の受け付けが制限される制限領域ＲＡが設けられる。図１に、制限領域ＲＡが破線によって示されている。制限されるタッチ操作には、ユーザが意図せず表示面３に触れたときに生じやすいタッチ操作として、たとえば、タップ操作およびダブルタップ操作が指定される。また、たとえば、ユーザの意図した操作としては行われにくいタッチ操作、たとえば、表示面３上にタッチされた位置（タッチ位置）が制限領域ＲＡ内である、フリック操作およびスライド操作およびドラッグ操作が、制限されるタッチ操作に指定されても良い。
【００３３】
図２は、携帯電話機１の全体構成を示すブロック図である。携帯電話機１は、制御部１１と、記憶部１２と、表示部１３と、タッチ検出部１４と、音声入力部１５と、音声出力部１６と、音声処理部１７と、キー入力部１８と、通信部１９と、向き検出部２０とを備
えている。
【００３４】
記憶部１２は、ＲＯＭ、ＲＡＭ等から構成される。記憶部１２には、各種のプログラムが記憶されている。記憶部１２に記憶されるプログラムは、携帯電話機１の各部を制御するための制御プログラムの他、各種アプリケーション（たとえば、電話、電子メール、地図、ゲーム、スケジュール管理、等）を含む。
【００３５】
記憶部１２は、プログラムの実行の際、一時的に利用または生成されるデータを記憶するワーキング領域としても使用される。
【００３６】
記憶部１２には、制限領域ＲＡを規定するための位置情報（座標情報）が、領域情報として記憶されている。さらに、記憶部１２には、制限されるタッチ操作に指定されたタッチ操作（タッチ操作に対応する情報）が記憶されている。
【００３７】
制御部１１は、ＣＰＵ等から構成されている。制御部１１は、プログラムに従って、携帯電話機１を構成する各部（記憶部１２、表示部１３、タッチ検出部１４、音声入力部１５、音声出力部１６、音声処理部１７、キー入力部１８、通信部１９、向き検出部２０等）を制御する。
【００３８】
表示部１３は、液晶ディスプレイ等から構成される。表示部１３は、制御部１１からの制御信号と画像信号とに基づき、表示面３に画像（画面）を表示する。表示部１３は、液晶ディスプレイに限らず、有機ＥＬディスプレイ等、他の表示装置から構成されてもよい。
【００３９】
タッチ検出部１４は、表示面３への指の接触を検出するタッチセンサ等から構成されている。タッチセンサは、上記の液晶ディスプレイと一体的に形成されることにより、タッチパネルを構成する。タッチセンサは、透明なシート状に形成され、表示面３上を覆うようにキャビネット２の正面に配される。タッチセンサは、静電容量式、超音波式、感圧式、抵抗膜式、光検知式等、各種のタッチセンサであってよい。
【００４０】
タッチ検出部１４は、指が触れた表示面３上の位置をタッチ位置として検出し、検出したタッチ位置に応じた位置信号を制御部１１へ出力する。
【００４１】
音声入力部１５は、マイクロフォン４等から構成される。音声入力部１５は、マイクロフォン４からの電気信号を音声処理部１７へ出力する。
【００４２】
音声出力部１６は、通話スピーカ５、外部スピーカ７等から構成される。音声出力部１６は、音声処理部１７からの電気信号を入力し、通話スピーカ５または外部スピーカ７から音（音声、報知音等）を出力する。
【００４３】
音声処理部１７は、音声入力部１５からの電気信号にＡ／Ｄ変換等を施し、変換後のデジタルの音声信号を制御部１１へ出力する。音声処理部１７は、制御部１１からのデジタルの音声信号にデコード処理およびＤ／Ａ変換等を施し、変換後の電気信号を音声出力部１６に出力する。
【００４４】
キー入力部１８は、キー操作部６の各操作キーが押下されたときに、押下された操作キーに応じた信号を制御部１１へ出力する。
【００４５】
通信部１９は、通話や通信を行うため、信号を変換するための回路、電波を送受信するアンテナ等を備える。通信部１９は、制御部１１から入力される通話や通信のための信号
を無線信号に変換し、変換された無線信号を、アンテナを介して基地局や他の通信装置等の通信先へ送信する。さらに、通信部１９は、アンテナを介して受信した無線信号を制御部１１が利用できる形式の信号へ変換し、変換された信号を制御部１１へ出力する。
【００４６】
向き検出部２０は、加速度センサ等により構成され、携帯電話機１がユーザに保持された向きを検出し、検出した携帯電話機１の向きに応じた検出信号を制御部１１へ出力する。携帯電話機１が縦向き（キャビネット２の長手方向が鉛直方向に沿う方向）となるようユーザに保持されると、縦向きに対応する検出信号が向き検出部２０から出力される。携帯電話機１が横向き（キャビネット２の長手方向が水平方向に沿う方向）となるようユーザに保持されると、横向きに対応する検出信号が向き検出部２０から出力される。
【００４７】
制御部１１は、表示制御部２１と、操作特定部２２と、機能実行部２３とを備えている。
【００４８】
表示制御部２１は、表示部１３に対する表示制御を行う。たとえば、表示制御部２１は、アプリケーションを起動するためのアイコンが配列されたホーム画面を表示部１３に表示させる。表示制御部２１は、アプリケーションが実行されると、実行画面を表示部１３に表示させる。さらに、表示制御部２１は、スリープモードの設定がなされている場合、携帯電話機１に対する操作が行われない時間が、所定の制限時間に達すると、表示部１３に備えられたバックライトをオフする。
【００４９】
操作特定部２２は、タッチ検出部１４による検出結果に基づいてタッチ操作の種類を特定する。たとえば、タッチ位置が検出された後、予め定めた第１時間以内にタッチ位置が検出されなくなった場合、操作特定部２２は、表示面３に対するタッチ操作がタップ操作であると特定する。タップ操作が予め定めた第２時間以内の間隔で２回検出された場合、操作特定部２２は、表示面３に対するタッチ操作がダブルタップ操作であると特定する。タッチ位置が検出された後、予め定めた第３時間以上タッチ位置が検出され続け、タッチ位置が検出されなくなった場合、操作特定部２２は、表示面３に対するタッチ操作がロングタップ操作であると特定する。タッチ位置が検出された後、予め定めた第４時間以内に予め定めた第１距離以上タッチ位置が移動し、タッチ位置が検出されなくなった場合、操作特定部２２は、表示面３に対するタッチ操作がフリック操作であると特定する。タッチ位置が検出された後、予め定めた第２距離以上タッチ位置が移動すると、操作特定部２２は、表示面３に対するタッチ操作がスライド操作であると特定する。
【００５０】
機能実行部２３は、操作特定部２２により特定されたタッチ操作の種類と、タッチ操作がなされた表示面３上の位置とに基づいて、各種の機能を実行する。たとえば、機能実行部２３は、アプリケーション起動用のアイコンに対してタップ操作がなされると、タップ操作がなされたアイコンに対応するアプリケーションを起動する。
【００５１】
機能実行部２３は、表示面３に対するタッチ操作が制限領域ＲＡにおいてなされたか否か、および、タッチ操作が制限されるタッチ操作であるか否かを判定する。機能実行部２３は、制限領域ＲＡにおいて、制限されるタッチ操作がなされた場合、そのタッチ操作に機能が割り当てられていても、機能の実行を制限する。たとえば、機能実行部２３は、制限領域ＲＡにおいて、制限されるタッチ操作がなされた場合、タッチ操作を無効とし、タッチ操作に割り当てられた機能を実行しない。
【００５２】
図３は、表示面３に対するタッチ操作に基づく機能の実行処理の流れを示すフローチャートである。携帯電話機１が起動されると、図３に示す機能実行処理が開始される。
【００５３】
操作特定部２２は、表示面３に対してタッチ操作がなされた否かを監視する（Ｓ１０１
）。表示面３に対してタッチ操作がなされると（Ｓ１０１：ＹＥＳ）、操作特定部２２は、タッチ操作の種類を特定する（Ｓ１０２）。
【００５４】
機能実行部２３は、記憶部１２に記憶された領域情報を参照し、表示面３に対してなされたタッチ操作が制限領域ＲＡでのタッチ操作であるか否かを判定する（Ｓ１０３）。
【００５５】
制限領域ＲＡでのタッチ操作でない場合（Ｓ１０３：ＮＯ）、機能実行部２３は、表示面３上のタッチ操作がなされた位置に、タッチ操作に割り当てられた機能があるか否かを判定する（Ｓ１０４）。タッチ操作に割り当てられた機能があれば（Ｓ１０４：ＹＥＳ）、機能実行部２３は、その機能を実行する（Ｓ１０５）。
【００５６】
一方、制限領域ＲＡでのタッチ操作である場合（Ｓ１０３：ＹＥＳ）、機能実行部２３は、表示面３に対してなされたタッチ操作が、制限領域ＲＡにおいて制限されるタッチ操作であるか否かを判定する（Ｓ１０６）。制限領域ＲＡにおいて制限されるタッチ操作である場合（Ｓ１０６：ＹＥＳ）、機能実行部２３は、タッチ操作を無効とし、機能の割り当てがある場合であっても、その機能を実行しない（Ｓ１０７）。
【００５７】
ステップＳ１０６において、制限領域ＲＡにおいて制限されるタッチ操作でないと判定された場合（Ｓ１０６：ＮＯ）、そのタッチ操作に割り当てられた機能があれば（Ｓ１０４：ＹＥＳ）、機能実行部２３により、割り当てられた機能が実行される（Ｓ１０５）。
【００５８】
図４および図５は、タップ操作およびダブルタップ操作が、制限されるタッチ操作に指定された例を説明するための図である。図４は、アプリケーション起動用のアイコンが配された画面が表示面３に表示された例を示す。図５は、携帯電話機１にスリープモードが設定された例を示す。
【００５９】
図４（ａ）、（ｂ）に示すように、表示面３において、あるアイコンの端部が制限領域ＲＡに掛かるように、アプリケーション起動用のアイコンが配列されている場合が想定される。この場合、図４（ａ）のように、制限領域ＲＡよりも中央の領域（以下、「非制限領域ＲＢ」という）において、ユーザによって意図的に、アイコンに対してタップ操作がなされると、タップ操作が有効とされ、機能実行部２３により、アイコンに対応するアプリケーションが起動される。一方、図４（ｂ）に示すように、ユーザが携帯電話機１を持ったときに、制限領域ＲＡ内にあるアイコンの端部に指が触れ、ユーザが意図しないタップ操作が生じた場合には、タップ操作は無効とされ、機能実行部２３により、アイコンに対応するアプリケーションが起動されない。ユーザにより表示面３に対してダブルタップ操作がなされた場合も、上記と同様である。
【００６０】
図４の例において、アイコンの周りの背景画像には、フリック操作に割り当てられたスクロール機能が割り当てられている。背景画像に対してフリック操作がなされた場合には、フリック操作が制限領域ＲＡ内でなされた場合であっても、画面がスクロールされる。
【００６１】
図５（ａ）、（ｂ）に示すように、スリープモードが設定された場合、表示面３へのタッチ操作が終了する度に、制御部１１に備えられたタイマーＴＭが、制限時間Ｔｎをカウントする。図５（ａ）のように、前回のタッチ操作から時間Ｔｍ後に、非制限領域ＲＢに対し、ユーザによって意図的にタップ操作がなされると、タップ操作が有効とされ、機能実行部２３により、タイマーＴＭがリセットされる。よって、前回のタッチ操作から制限時間Ｔｎが経過しても、表示面３に画面が表示され続ける。一方、図５（ｂ）に示すように、ユーザが携帯電話機１を持ったときに、表示面３の周縁部に指が触れ、ユーザが意図しないタップ操作が生じた場合には、タップ操作は無効とされ、機能実行部２３により、
タイマーＴＭはリセットされない。よって、前回のタッチ操作から制限時間Ｔｎが経過すると、表示制御部２１により表示部１３に備えられたバックライトがオフにされ、表示面３から画面が消される。表示面３に対してダブルタップ操作がなされた場合も、上記と同様である。
【００６２】
図４および図５の例において、さらに、ロングタップ操作が、制限されるタッチ操作に指定されても良い。
【００６３】
図６は、最初のタッチ位置が制限領域ＲＡであるドラッグ操作が、制限されるタッチ操作に指定された例を説明するための図である。図６（ａ）に示すように、非制限領域ＲＢに位置する移動対象のオブジェクトに対し、ユーザによって意図的にドラッグ操作がなされた場合、ドラッグ操作は有効とされ、ドラッグ操作が完了した位置が非制限領域ＲＢであるか制限領域ＲＡであるかによらず、機能実行部２３により、ドラッグ操作が完了した位置にオブジェクトが移動される。一方、図６（ｂ）に示すように、表示面３の周縁部にある移動対象のオブジェクトに指が触れ、ユーザが意図しないドラッグ操作が生じた場合には、最初のタッチ位置が制限領域ＲＡであるため、ドラッグ操作は無効とされ、ドラッグ操作が完了した位置が非制限領域ＲＢであるか制限領域ＲＡであるかによらず、機能実行部２３により、オブジェクトが移動されない。
【００６４】
図７は、最初のタッチ位置が制限領域ＲＡであるフリック操作が、制限されるタッチ操作に指定された例を説明するための図である。図７（ａ）、（ｂ）に示すように、非制限領域ＲＢに対し、ユーザによって意図的にフリック操作がなされた場合、フリック操作は有効とされ、リリース位置が非制限領域ＲＢであるか制限領域ＲＡであるかによらず、機能実行部２３により、フリック操作に割り当てられた機能、たとえば、画面をスクロールさせる機能が実行される。一方、図７（ｃ）、（ｄ）に示すように、表示面３の周縁部に指が触れ、ユーザが意図しないフリック操作が生じた場合には、最初のタッチ位置が制限領域ＲＡであるため、フリック操作は無効とされ、リリース位置が非制限領域ＲＢであるか制限領域ＲＡであるかによらず、機能実行部２３により、フリック操作に割り当てられた機能が実行されない。
【００６５】
本実施形態によれば、表示面３における周縁部に対する一部のタッチ操作が無効とされ、そのタッチ操作に基づく機能の実行が制限される。よって、誤操作の可能性が高いタッチ操作に対しては機能の実行を制限でき、誤操作の可能性の低いタッチ操作に対しては機能の実行を維持できるので、一定の操作性を保ちつつ誤操作の防止を図ることができる携帯電話機１を提供することができる。
【００６６】
図８は、制限領域ＲＡの変形例について説明するための図である。
【００６７】
上記実施形態では、制限領域ＲＡにおける上下左右の領域の幅は、特に限定されていない。しかしながら、上述したように、フレーム部２ａは、左右のフレームの幅Ｗ１、Ｗ２が上下のフレームの幅Ｗ３、Ｗ４より狭くなっている。このため、携帯電話機１が保持されたときに、表示面３の上下の縁部よりも左右の縁部において、より中央の位置に指が触れやすい。よって、図８（ａ）に示すように、制限領域ＲＡは、左右の領域の幅Ｗ５、Ｗ６が上下の領域の幅Ｗ７、Ｗ８よりも広くされても良い。さらに、フレーム部２ａは、上フレームの幅Ｗ３が下フレームの幅Ｗ４より狭くなっている。よって、図８（ｂ）に示すように、制限領域ＲＡは、左右の領域の幅Ｗ５、Ｗ６が上下の領域の幅Ｗ７、Ｗ８よりも広くされ、且つ、上の領域の幅Ｗ７が下の領域の幅Ｗ８よりも広くされても良い。
【００６８】
下フレームの幅Ｗ４が携帯電話機１を保持するのに十分に広く、表示面３の下縁部に指が掛かる可能性が小さい場合には、図８（ｃ）に示すように、制限領域ＲＡは、下の領域
がなくされても良い。さらに、上下のフレームの幅Ｗ３、Ｗ４が携帯電話機１を保持するのに十分に広い場合には、図８（ｄ）に示すように、制限領域ＲＡは、上下の領域がなくされても良い。
【００６９】
このように、フレーム部２ａの各フレームの幅に合わせて、制限領域ＲＡを構成することにより、一定の操作性をより一層保ちつつ誤操作の防止を図ることができる携帯電話機１を提供することができる。
【００７０】
＜第２実施形態＞
上記第１実施形態では、表示面３に設けられる制限領域ＲＡの形状および大きさが固定されている。これに対し、本実施形態では、所定の条件に応じて制限領域ＲＡが設定される。即ち、所定の条件に応じて制限領域ＲＡの形状および／または大きさが変更される。
【００７１】
図９は、携帯電話機１の全体構成を示すブロック図である。
【００７２】
記憶部１２は、制限領域テーブル１２ａを備える。制限領域テーブル１２ａには、形態（形状、大きさ）の異なる制限領域（制限領域を規定する位置情報）が、各条件に対応付けられて記憶されている。
【００７３】
制御部１１は、領域設定部２４を備えている。領域設定部２４は、各条件に対応する制限領域ＲＡを制限領域テーブル１２ａから読出し、読み出した制限領域ＲＡを、その条件における制限領域ＲＡとして設定する。
【００７４】
本実施形態におけるその他の構成は、上記第１実施形態と同様である。
【００７５】
＜実施例１＞
本実施例では、実行されるアプリケーションが所定の条件とされ、実行されるアプリケーションに応じて制限領域ＲＡが設定される。制限領域テーブル１２ａには、各アプリケーションに対応付けられた制限領域ＲＡが記憶されている。領域設定部２４は、実行されるアプリケーションに応じて制限領域ＲＡを設定する。
【００７６】
図１０は、本実施例における機能実行処理の流れを示すフローチャートである。
【００７７】
本実施例では、図３に示す上記第１実施形態の実行処理に対し、ステップＳ１１１、Ｓ１１２およびＳ１１３の処理が追加されている。
【００７８】
本実施例では、処理が開始されると、領域設定部２４が、実行されるアプリケーションを検出する（Ｓ１１１）。領域設定部２４は、検出されたアプリケーションに対応する制限領域ＲＡを、検出されたアプリケーションにおける制限領域ＲＡとして設定する（Ｓ１１２）。さらに、領域設定部２４は、実行されるアプリケーションが変更されたことを検出すると（Ｓ１１３：ＹＥＳ）、新たなアプリケーションに対応する制限領域ＲＡを、新たなアプリケーションにおける制限領域ＲＡとして設定する（Ｓ１１２）。
【００７９】
図１１は、アプリケーションに応じて設定される制限領域ＲＡを示す図である。
【００８０】
たとえば、操作対象となるオブジェクトが実行画面の周縁部まで広く配されるアプリケーションが実行される場合には、図１１（ａ）のように、上下左右の領域の幅が狭い制限領域ＲＡが設定される。操作対象となるオブジェクトは、アプリケーション起動用のアイコン、ショートカットアイコン、ハイパーリンクが設定された画像等である。
【００８１】
操作対象となるオブジェクトが実行画面の中央に寄るよう配されるアプリケーションが実行される場合には、図１１（ｂ）のように、上下左右の領域の幅が広い制限領域ＲＡが設定される。
【００８２】
操作対象となるオブジェクトが実行画面の周縁部まで広く配されるアプリケーションが実行される場合に、領域設定部２４が表示面３上に制限領域ＲＡを設定しないような構成とすることもできる。
【００８３】
実行画面の上端に通知バーが配されるアプリケーションが実行される場合には、図１１（ｃ）のように、下および左右の領域により構成され、上の領域がない制限領域ＲＡが設定される。通知バーには、電池の残量や電波の受信状態等の携帯電話機１に関する情報が通知され、通知バーに対してタッチ操作がなされることにより、さらに詳しい情報が通知される。
【００８４】
実行画面の下端にタスクバーが配されるアプリケーションが実行される場合には、図１１（ｄ）のように、上および左右の領域により構成され、下の領域がない制限領域ＲＡが設定される。タスクバーは、フォアグランド、即ち表示面３上で実行されているアプリケーションとバックグランドで実行されているアプリケーションとを切り替える際に操作される。
【００８５】
本実施例によれば、実行されるアプリケーションに応じて制限領域ＲＡが設定されるので、実行画面の状況に応じた制限領域ＲＡの設定が可能となる。よって、一定の操作性をより一層保ちつつ誤操作の防止を図ることができる携帯電話機１を提供することができる。
【００８６】
＜実施例２＞
本実施例では、表示面３に表示される画面の表示方向が所定の条件とされ、画面の表示方向に応じて制限領域ＲＡが設定される。
【００８７】
表示制御部２１は、携帯電話機１が縦向きである場合に画面の表示方向が表示面３の長手方向に沿う方向（以下、「縦表示方向」という）となり、携帯電話機１が横向きである場合に画面の表示方向が表示面３の短手方向に沿う方向（以下、「横表示方向」という）となるように、表示部１３を制御する。
【００８８】
制限領域テーブル１２ａには、縦表示方向および横表示方向のそれぞれに対応付けられた制限領域ＲＡが記憶されている。領域設定部２４は、画面の表示方向に応じて制限領域ＲＡを設定する。
【００８９】
図１２は、本実施例における機能実行処理の流れを示すフローチャートである。
【００９０】
本実施例では、図３に示す上記第１実施形態の実行処理に対し、ステップＳ１２１、Ｓ１２２およびＳ１２３の処理が追加されている。
【００９１】
本実施例では、処理が開始されると、領域設定部２４が、画面の表示方向を検出する（Ｓ１２１）。領域設定部２４は、検出された表示方向に対応する制限領域ＲＡを、検出された表示方向における制限領域ＲＡとして設定する（Ｓ１２２）。さらに、領域設定部２４は、画面の表示方向が変更されたことを検出すると（Ｓ１２３：ＹＥＳ）、新たな表示方向に対応する制限領域ＲＡを、新たな表示方向における制限領域ＲＡとして設定する（Ｓ１２２）。
【００９２】
図１３は、画面の表示方向に応じて設定される制限領域ＲＡを示す図である。
【００９３】
たとえば、図１１（ｃ）と同様、画面の上端に通知バーが配された実行画面が表示面３に表示される場合、図１３（ａ）に示すように、携帯電話機１が縦向きであり、画面が縦表示方向に表示されているときは、通知バーが表示面３の上端に位置するため、下の領域と左右の領域とで構成された制限領域ＲＡが設定される。一方、図１３（ｂ）に示すように、携帯電話機１が横向きであり、画面が横表示方向に表示されているときは、通知バーが表示面３の左端に位置するため、右の領域と上下の領域とで構成された制限領域ＲＡが設定される。
【００９４】
本実施例によれば、画面の表示方向に応じて制限領域ＲＡが設定されるので、画面の状況に応じた制限領域ＲＡの設定が可能となる。よって、一定の操作性をより一層保ちつつ誤操作の防止を図ることができる携帯電話機１を提供することができる。
【００９５】
＜実施例３＞
本実施例では、携帯電話機１の向きが所定の条件とされ、携帯電話機１の向きに応じて制限領域ＲＡが設定される。制限領域テーブル１２ａには、縦向きおよび横向きにそれぞれ対応付けられた制限領域ＲＡが記憶されている。領域設定部２４は、携帯電話機１の向きが縦向きであるか横向きであるかに応じて制限領域ＲＡを設定する。
【００９６】
図１４は、本実施例における機能実行処理の流れを示すフローチャートである。
【００９７】
本実施例では、図３に示す上記第１実施形態の実行処理に対し、ステップＳ１３１、Ｓ１３２およびＳ１３３の処理が追加されている。
【００９８】
本実施例では、処理が開始されると、領域設定部２４が、携帯電話機１の向きを検出する（Ｓ１３１）。領域設定部２４は、検出された向きに対応する制限領域ＲＡを、検出された向きにおける制限領域ＲＡとして設定する（Ｓ１３２）。さらに、領域設定部２４は、携帯電話機１の向きが変更されたことを検出すると（Ｓ１３３：ＹＥＳ）、新たな向きに対応する制限領域ＲＡを、新たな向きにおける制限領域ＲＡとして設定する（Ｓ１３２）。
【００９９】
図１５は、携帯電話機１の向きに応じて設定される制限領域ＲＡを示す図である。
【０１００】
たとえば、図１５（ａ）、（ｂ）に示すように、携帯電話機１が縦向きである場合、フレーム部２ａの左右のフレームが持たれやすいので、表示面３の左右の縁部が誤って指で触れられやすい。よって、この場合、図１５（ａ）に示すように、左右の領域の幅Ｗ５、Ｗ６が上下の領域の幅Ｗ７、Ｗ８に比べて広い制限領域ＲＡが設定される。あるいは、図１５（ｂ）に示すように、左右の領域により構成され、上下の領域がない制限領域ＲＡが設定される。
【０１０１】
一方、図１５（ｃ）、（ｄ）に示すように、携帯電話機１が横向きである場合、ユーザによりフレーム部２ａの上下のフレームが持たれやすいので、表示面３の上下の縁部が誤って指で触れられやすい。よって、この場合、図１５（ｃ）に示すように、上下の領域の幅Ｗ７、Ｗ８が左右の領域の幅Ｗ５、Ｗ６に比べて広い制限領域ＲＡが設定される。あるいは、図１５（ｄ）に示すように、上下の領域により構成され、左右の領域がない制限領域ＲＡが設定される。
【０１０２】
本実施例によれば、携帯電話機１の向きに応じて制限領域ＲＡが設定されるので、ユーザによる携帯電話機１の保持のされ方に応じた制限領域ＲＡの設定が可能となる。よって
、一定の操作性をより一層保ちつつ誤操作の防止を図ることができる携帯電話機１を提供することができる。
【０１０３】
＜第３実施形態＞
本実施形態では、制限領域ＲＡ内に位置する特定のオブジェクトに対して、制限されるタッチ操作がなされた場合には、タッチ操作に割り当てられた機能が実行される。
【０１０４】
本実施形態の携帯電話機１は、上記第１実施形態と同様、図１および図２に示す構成を備えている。
【０１０５】
さらに、本実施形態では、記憶部１２に、操作の制限を受けないオブジェクト（オブジェクトに対応する情報）が記憶されている。
【０１０６】
図１６は、機能実行処理の流れを示すフローチャートである。
【０１０７】
本実施形態では、図３に示す上記第１実施形態の実行処理に対し、ステップＳ１４１の処理が追加されている。
【０１０８】
ステップＳ１０３において、ユーザによるタッチ操作が、制限領域ＲＡでのタッチ操作であると判定された場合（Ｓ１０３：ＹＥＳ）、機能実行部２３は、表示面３に対してなされたタッチ操作が制限を受けないオブジェクトに対するタッチ操作であるか否かを判定する（Ｓ１４１）。制限を受けないオブジェクトに対するタッチ操作である場合（Ｓ１４１：ＹＥＳ）、機能実行部２３は、タッチ操作に割り当てられた機能を実行する（Ｓ１０５）。
【０１０９】
一方、制限を受けないオブジェクトに対するタッチ操作でない場合（Ｓ１４１：ＮＯ）、機能実行部２３は、そのタッチ操作が、制限されるタッチ操作であれば（Ｓ１０６：ＹＥＳ）、タッチ操作を無効とする（Ｓ１０７）。
【０１１０】
図１７は、制限を受けないオブジェクトが制限領域ＲＡに配された画面が表示面３に表示された例を示す図である。
【０１１１】
たとえば、タップ操作が、制限されるタッチ操作に指定されている場合、図１７（ａ）に示すように、制限領域ＲＡ内に配された、制限を受けないオブジェクトに対してタップ操作がなされると、タップ操作に割り当てられた機能が実行される。たとえば、オブジェクトが、ハイパーリンクが設定された画像である場合、リンク先の画面が表示面３に表示される。
【０１１２】
一方、図１７（ｂ）に示すように、制限領域ＲＡにおける、制限を受けないオブジェクト以外の位置に対してタップ操作がなされた場合には、タップ操作は無効とされる。たとえば、図５にて説明したように、スリープモードが設定されている場合、タイマーＴＭはリセットされない。
【０１１３】
本実施形態によれば、操作対象となるオブジェクトのうち特定のオブジェクトについてはタッチ操作の制限を受けない構成とされている。よって、一定の操作性をより一層保ちつつ誤操作の防止を図ることができる携帯電話機１を提供することができる。
【０１１４】
＜変更例＞
上記第１実施形態、第２実施形態および第３実施形態の構成に、本変更例の構成を適用することができる。
【０１１５】
本変更例では、制限されるタッチ操作の対象となるオブジェクトが、表示面３における制限領域ＲＡよりも中央の領域（非制限領域ＲＢ）に配されるよう、表示部１３が制御される。オブジェクトは、アプリケーションン起動用のアイコン、ショートカットアイコン等である。
【０１１６】
図１８は、表示制御処理の流れを示すフローチャートである。図１９は、表示制御処理が実行されたときの画面表示例を示す図である。
【０１１７】
表示制御部２１は、制限されるタッチ操作の対象となるオブジェクトが背景画像に重ねられた画面を表示面３に表示させる場合に、画面が通常のサイズで表示されたときにオブジェクトが制限領域ＲＡ内に配されるか否かを判定する（Ｓ２０１）。表示制御部２１は、図１９（ａ）に示すように、オブジェクトが制限領域ＲＡ内に配されない場合（Ｓ２０１：ＮＯ）、図１９（ｂ）に示すように、表示面３に画面を通常のサイズで表示させる（Ｓ２０２）。
【０１１８】
一方、表示制御部２１は、図１９（ｃ）に示すように、画面が通常のサイズで表示されるとオブジェクトが制限領域ＲＡ内に配されてしまう場合（Ｓ２０１：ＮＯ）、図１９（ｄ）に示すように、オブジェクトが制限領域ＲＡに配されないサイズに画面を縮小し、縮小した画面を表示面３に表示させる（Ｓ２０３）。
【０１１９】
図１９（ｅ）に示すように、表示面３に表示される画面において、通常サイズではオブジェクトが非制限領域ＲＢ内に収まらない方向、たとえば左右方向を縮小し、通常サイズでも非制限領域ＲＢ内に収まる方向、たとえば上下方向は縮小しない構成とすることもできる。この場合、収まる方向には、表示面３全体に画面が表示されるため、ユーザは、収まる方向の制限領域ＲＡにおいて、制限されるタッチ操作以外のタッチ操作を行うことが可能となる。
【０１２０】
図２０は、表示制御処理の他の例を説明するための図である。
【０１２１】
この例では、図２０（ａ）に示すように、表示制御部２１は、オブジェクトに対して非制限領域ＲＢ内でドラッグ操作がなされ、非制限領域ＲＢ内でドラッグ操作が完了した場合に、完了した位置にオブジェクトを移動させる。一方、図２０（ｂ）に示すように、表示制御部２１は、オブジェクトに対して非制限領域ＲＢ内でドラッグ操作がなされ、制限領域ＲＡ内でドラッグ操作が完了した場合に、オブジェクトを元の位置から移動させない。あるいは、図２０（ｃ）に示すように、表示制御部２１は、制限領域ＲＡ内でドラッグ操作が完了すると、ドラッグ操作の軌道上における制限領域ＲＡに進入する手前の位置までオブジェクトを移動させる。
【０１２２】
本変更例の構成とすれば、制限されるタッチ操作の対象となるオブジェクトが制限領域ＲＡに配されないので、ユーザは、タッチ操作の制限を受けることなく、オブジェクトに対応する機能を実行させることができる。
【０１２３】
＜その他＞
以上、本発明の実施形態および変更例について説明したが、本発明は、上記実施形態等によって何ら制限されるものではなく、また、本発明の実施形態も、上記以外に種々の変更が可能である。
【０１２４】
たとえば、上記第２実施形態の構成と上記第３実施形態の構成は、適宜、組み合され得る。さらに、上記第２実施形態の実施例１ないし実施例３の構成は、適宜、互いに組み合
され得る。
【０１２５】
上記第１実施形態では、制限領域ＲＡが、表示面３における周縁部の全周に亘って設けられている。しかしながら、制限領域ＲＡは、表示面３における周縁部の少なくとも一部に設けられれば良い。
【０１２６】
さらに、制限領域ＲＡおよび非制限領域ＲＢ、もしくは制限領域ＲＡと非制限領域ＲＢのうち何れか一方を表示面３に表示する領域表示が行われる構成とされても良い。制限領域ＲＡが表示されることにより、ユーザはタッチ操作が制限される領域が設定されていることを認識することができる。非制限領域ＲＢが表示されることにより、ユーザはタッチ操作が可能な領域を認識することができる。
【０１２７】
この場合、たとえば、表示面３に表示された画面が新たな画面に切り替わるような操作がなされた場合に、新たな画面が表示された際に、領域表示が行われると良い。あるいは、新たな画面に切り替わるような操作なされたことにより制限領域ＲＡまたは非制限領域ＲＢの設定が変更された場合に、新たな画面が表示された際、領域表示が行われても良い。
【０１２８】
また別の態様として、画面の表示方向が変更された場合に、領域表示が行われても良い。あるいは、画面の表示方向が変更されることにより制限領域ＲＡまたは非制限領域ＲＢの設定が変更された場合に、領域表示が行われても良い。
【０１２９】
さらに別の態様として、携帯電話機１の向きが変更された場合に、領域表示が行われても良い。あるいは、携帯電話機１の向きが変更されることにより制限領域ＲＡまたは非制限領域ＲＢの設定が変更された場合に、領域表示が行われても良い。
【０１３０】
さらに別の態様として、タッチ操作がなされた場合に、領域表示が行われても良い。または、制限されたタッチ操作がなされた場合に、領域表示がなされても良い。または、領域をユーザに通知するための所定の操作がなされた場合に、領域表示がなされても良い。
【０１３１】
上記した領域表示は、表示開始後、所定時間が経過するまで行われても良い。あるいは、領域表示は、表示開始後、ユーザにより新たな操作がなされるまで行われても良い。
【０１３２】
上記第１実施形態、第２実施形態および第３実施形態では、スマートフォン型の携帯電話機に本発明が適用されている。しかしながら、これに限らず、ストレート式、折りたたみ式、スライド式等、他のタイプの携帯電話機に本発明が適用されても良い。
【０１３３】
さらに、本発明は、携帯電話機に限られず、ＰＤＡ（Personal DigitalAssistant）、タブレットＰＣ（Tablet PC）、電子書籍端末、携帯音楽プレーヤ、ポータブルテレビ等、各種の表示機能を備える携帯機器に適用可能である。
【０１３４】
この他、本発明の実施形態は、特許請求の範囲に示された技術的思想の範囲内において、適宜、種々の変更が可能である。
【符号の説明】
【０１３５】
３  表示面
１１  制御部
１４  タッチ検出部
２０  向き検出部
２１  表示制御部
２２  操作特定部
２３  機能実行部
２４  領域設定部
ＲＡ  制限領域
ＲＢ  非制限領域（制限領域以外の領域）
【図１】
0005922480.tif 000002
【図２】
0005922480.tif 000003
【図３】
0005922480.tif 000004
【図４】
0005922480.tif 000005
【図５】
0005922480.tif 000006
【図６】
0005922480.tif 000007
【図７】
0005922480.tif 000008
【図８】
0005922480.tif 000009
【図９】
0005922480.tif 000010
【図１０】
0005922480.tif 000011
【図１１】
0005922480.tif 000012
【図１２】
0005922480.tif 000013
【図１３】
0005922480.tif 000014
【図１４】
0005922480.tif 000015
【図１５】
0005922480.tif 000016
【図１６】
0005922480.tif 000017
【図１７】
0005922480.tif 000018
【図１８】
0005922480.tif 000019
【図１９】
0005922480.tif 000020
【図２０】
0005922480.tif 000021